(57)【要約】【課題】時計の時刻表示板を、個々の人の好みに応じて作製された立体地形模型とすることより、いわゆる「一品もの」ともいえる付加価値の高い時計を提供する。【解決手段】時刻を表す長針１１及び短針１２を有し、当該長針１１及び短針１２が時計の駆動部の回転軸２１を中心に時刻表示板３０上を回転して時刻表示を行う時計であって、時刻表示板３０が、所定地域の地形が立体的に表わされている立体地形模型でなり、さらに、長針１１及び短針１２に加えて秒針１３を有し、秒針１３の先端付近には、飛行体の模型１４が取り付けられている。【選択図】図１
0003211429.tif 000002
【実用新案登録請求の範囲】
【請求項１】
時刻を表す長針及び短針を有し、当該長針及び短針が時計の駆動部の回転軸を中心に時刻表示板上を回転して時刻表示を行う時計であって、
前記時刻表示板が、所定地域の地形が立体的に表わされている立体地形模型でなることを特徴とする時計。
【請求項２】
請求項１に記載の時計において、
前記長針及び短針に加えて秒針を有していることを特徴とする時計。
【請求項３】
請求項２に記載の時計において、
前記秒針の先端付近には、飛行体の模型が取り付けられており、当該秒針の回転とともに前記飛行体が前記立体地形模型の表面に非接触で回転して行くことを特徴とする時計。
【請求項４】
請求項３に記載の時計において、
前記飛行体は、旅客機、ヘリコプター、飛行船、熱気球又は鳥であることを特徴とする時計。
【請求項５】
請求項１〜４のいずれかに記載の時計において、
前記立体地形模型は、前記所定地域の地理データに基づいて、前記立体地形模型を作製するための素材が積層されたものであることを特徴とする時計。
【請求項６】
請求項５に記載の時計において、
前記素材は、樹脂であることを特徴とする時計。
【請求項７】
請求項６に記載の時計において、
前記樹脂は、ＰＬＡ樹脂又はＡＢＳ樹脂であることを特徴とする時計。
【請求項８】
請求項１〜４のいずれかに記載の時計において、
前記立体地形模型は、前記所定地域の地理データに基づいて、前記立体地形模型を作製するための素材が切削加工されたものであることを特徴とする時計。
【請求項９】
請求項８に記載の時計において、
前記素材は、所定の厚みを有する金属板であることを特徴とする時計。
【請求項１０】
請求項９に記載の時計において、
前記金属板は、アルミニウム、アルミニウム合金、銅、銅合金又はステンレス鋼でなる金属板であることを特徴とする時計。
【請求項１１】
請求項５〜１０のいずれかに記載の時計において、
前記立体地形模型は、当該立体地形模型の作成に使用する前記素材が持っている当該素材特有の色で作製されていることを特徴とする時計。
【請求項１２】
請求項１〜１１のいずれかに記載の時計において、
前記長針及び短針は、それぞれの回転軸が前記立体地形模型のほぼ中心に配置されており、
１時〜１２時の各時刻のうちの１２時の時刻を表す位置が、前記回転軸から見て当該立体地形模型の地理上の北の方角に位置するように前記立体地形模型上に配置されていることを特徴とする時計。
【請求項１３】
請求項１〜１２のいずれかに記載の時計において、
所定地域は、国、県、市町村、集落、所定の山岳地域又は所定の観光地域であることを特徴とする時計。
【請求項１４】
請求項１〜１３のいずれかに記載の時計において、
表面に前記立体地形模型が取り付けられているとともに、裏面に時計の駆動部が取り付けられている背面板と、
当該背面板に取り付けられている前記立体地形模型に対して所定間隔を隔てた状態で当該立体地形模型を覆う透明の前面パネル板と、
前記背面板と前記前面パネル板とを所定間隔を有して連結するスペーサーと、
をさらに有することを特徴とする時計。
【請求項１５】
請求項１４のいずれかに記載の時計において、
前記背面板及び前面パネル板のうちの少なくとも背面板の下端部を支持して、当該時計が平板上で自立可能となるような自立用スタンドをさらに有することを特徴とする時計。
【請求項１６】
請求項１４又は１５に記載の時計において、
当該時計を壁面に掛けて使用するための壁面取り付け用部材をさらに有することを特徴とする時計。
【考案の詳細な説明】
【技術分野】
【０００１】
本考案は、テーブルなどの台上に置いたり壁面に掛けたりして使用する時計に関する。
【背景技術】
【０００２】
従来、テーブルなどに置いて使用する置き時計や壁などに掛けて使用する掛け時計は種々提案されている。この種の時計の中には、単に時刻表示をするものだけではなく、様々な付加価値を有する時計がある（例えば、特許文献１及び特許文献２参照。）。
【０００３】
図５は、特許文献１に記載されている時計９１０を説明するために示す図である。特許文献１に記載されている時計９１０は、時刻表示板９１１として多角形の組子格子９１２を使用することによって、付加価値の高い時計としている。
【０００４】
図６は、特許文献２に記載されている時計９２０を説明するために示す図である。特許文献２に記載されている時計９２０は、複数の時計９２１，９２２，９２３を一組とした置き時計又は掛け時計であって、各時計９２１，９２２，９２３の本体表面には、模様、図形又は写真などの図柄９２４を形成することで、上記特許文献１に記載されている時計９１０と同様に、付加価値の高い時計としている。
【先行技術文献】
【特許文献】
【０００５】
【特許文献１】実用新案登録第３２０８１４４号公報
【特許文献２】特開２０１３−１７０８７１号公報
【考案の概要】
【考案が解決しようとする課題】
【０００６】
上記特許文献１及び特許文献２に記載されている時計は、一般的な置き時計や掛け時計に比べれば、高い装飾性を有する付加価値の高い時計ではあるが、近年、個人の嗜好や趣味の多様性がますます高まっていることを考慮すると、さらなる付加価値が求められている。このため、いわゆる「一品もの」と言われるような時計を入手したいといった要求はますます高まっている。
【０００７】
本考案は上記事情に鑑みてなされたものであり、時計の時刻表示板を、個々の人の好みに応じて作製された立体地形模型とすることより、いわゆる「一品もの」ともいえる付加価値の高い時計を提供することを目的とする。
【課題を解決するための手段】
【０００８】
［１］本考案の時計は、時刻を表す長針及び短針を有し、当該長針及び短針が時計の駆動部の回転軸を中心に時刻表示板上を回転して時刻表示を行う時計であって、前記時刻表示板が、所定地域の地形が立体的に表わされている立体地形模型でなることを特徴とする。
【０００９】
［２］本考案の時計においては、前記長針及び短針に加えて秒針を有していること前記長針及び短針に加えて秒針を有していることが好ましい。
【００１０】
［３］本考案の時計においては、前記秒針の先端付近には、飛行体の模型が取り付けられており、当該秒針の回転とともに前記飛行体が前記立体地形模型の表面に非接触で回転して行くことが好ましい。
【００１１】
［４］本考案の時計においては、前記飛行体は、旅客機、ヘリコプター、飛行船、熱気球又は鳥であることが好ましい。
【００１２】
［５］本考案の時計においては、前記立体地形模型は、前記所定地域の地理データに基づいて、前記立体地形模型を作製するための素材が積層されたものであることが好ましい。
【００１３】
［６］本考案の時計においては、前記素材は、樹脂であることが好ましい。
【００１４】
［７］本考案の時計においては、前記樹脂は、ＰＬＡ樹脂又はＡＢＳ樹脂であることが好ましい。
【００１５】
［８］本考案の時計においては、前記立体地形模型は、前記所定地域の地理データに基づいて、前記立体地形模型を作製するための素材が切削加工されたものであることが好ましい。
【００１６】
［９］本考案の時計においては、前記素材は、所定の厚みを有する金属板であることを特徴とする時計。
【００１７】
［１０］本考案の時計においては、前記金属板は、アルミニウム、アルミニウム合金、銅、銅合金又はステンレス鋼でなる金属板であることを特徴とする時計。
【００１８】
［１１］本考案の時計においては、前記立体地形模型は、前記立体地形模型の作製に使用する素材が持っている当該素材特有の色で作製されていることが好ましい。
【００１９】
［１２］本考案の時計においては、前記長針及び短針は、それぞれの回転軸が前記立体地形模型のほぼ中心に配置されており、１時〜１２時の各時刻のうちの１２時の時刻を表す位置が、前記回転軸から見て当該立体地形模型の地理上の北の方角に位置するように前記立体地形模型上に配置されていることが好ましい。
【００２０】
［１３］本考案の時計においては、所定地域は、国、県、市町村、集落、所定の山岳地域又は所定の観光地域であることが好ましい。
【００２１】
[４］本考案の時計においては、表面に前記立体地形模型が取り付けられているとともに、裏面に時計の駆動部が取り付けられている背面板と、当該背面板に取り付けられている前記立体地形模型に対して所定間隔を隔てた状態で当該立体地形模型を覆う透明の前面パネル板と、前記背面板と前記前面パネル板とを所定間隔を有して連結するスペーサーと、をさらに有することが好ましい。
【００２２】
［１５］本考案の時計においては、前記背面板及び前面パネル板のうちの少なくとも背面板の下端部を支持して、当該時計が平板上で自立可能となるような自立用スタンドをさらに有することが好ましい。
【００２３】
［１６］本考案の時計においては、前記背面板には、当該時計を壁面に掛けて使用するための壁面取り付け用部材が設けられていることを特徴とする時計。
【考案の効果】
【００２４】
本考案によれば、時計の時刻表示板が、個々の人の好みに応じて作製された立体地形模型となっている。このため、金型などにより大量生産された立体地形模型とは異なり、いわゆる「一品もの」ともいえる付加価値の高い時計となる。
【図面の簡単な説明】
【００２５】
【図１】実施形態に係る時計１を説明するために示す斜視図である。
【図２】実施形態に係る時計１を説明するために示す側面図である。
【図３】実施形態に係る時計１を説明するために示す正面図である。
【図４】図１〜図３に示されている立体地形模型３０を取り出して示す図である。
【図５】特許文献１に記載されている時計９１０を説明するために示す図である。
【図６】特許文献２に記載されている時計９２０を説明するために示す図である。
【考案を実施するための形態】
【００２６】
以下、本考案の実施形態について説明する。
図１は、実施形態に係る時計１を説明するために示す斜視図である。
図２は、実施形態に係る時計１を説明するために示す側面図である。
図３は、実施形態に係る時計１を説明するために示す正面図である。
なお、図１〜図３においては、立体地形模型３０における地形の凹凸など簡略化されて模式的に描かれている（地形の凹凸などの詳細については後述する図４参照。）。
【００２７】
実施形態に係る時計１は、時刻を表す長針１１及び短針１２を有し、当該長針１１及び短針１２が時計の駆動部（ムーブメント）２０の回転軸２１を中心に、時刻表示板３０上を回転して時刻表示を行う時計であるが、図１〜図３に示すように、長針１１及び短針１２に加えて秒針１３を有するいわゆる３針式の時計であるとする。また、実施形態に係る時計１は、時刻表示板３０が、所定地域の地形が立体的に表されている立体地形模型でなる。このため、時刻表示板３０を「立体地形模型３０」として説明する。
【００２８】
また、実施形態に係る時計１は、表面に立体地形模型３０が取り付けられているとともに、裏面に時計の駆動部２０が取り付けられている背面板４０と、当該背面板４０に取り付けられている立体地形模型３０を所定間隔を隔てた状態で覆う透明の前面パネル板５０と、背面板４０と前面パネル板５０とを所定間隔を有して連結するスペーサー６０と、実施形態に係る時計１をテーブルや机など台上で自立可能とするための自立用スタンド７０と、実施形態に係る時計１を壁面などに掛けて使用するための壁面取り付け用部材８０とをさらに有している。
【００２９】
なお、駆動部２０は、長針１１、短針１２及び秒針１３からなる３針式の一般的な時計の駆動部を使用することができるため、詳細な説明は省略する。なお、駆動部２０からは長針１１、短針１２及び秒針１３を回転させるための回転軸２１として、長針用回転軸（図示せず。）、短針用回転軸（図示せず。）及び秒針用回転軸（図示せず。）が同軸で設けられており、これら長針用回転軸、短針用回転軸及び秒針用回転軸は、筒状部材２２に包囲された状態で当該筒状部材２２内を貫通するように設けられている。
【００３０】
また、実施形態に係る時計１においては、秒針１３の先端付近には、飛行体(飛行機とする。)の模型１４が取り付けられており、秒針１３の回転とともに飛行機の模型１４が立体地形模型３０の表面に非接触で回転して行ようになっている。
【００３１】
実施形態に係る時計１についてさらに詳細に説明する。立体地形模型３０は、例えば、国土地理院が作成している所定地域の地理データに基づいて、３次元プリンター（図示せず。）により素材を積層して作製されたものである。なお、所定地域としては、例えば、都道府県、市町村、集落、所定の山岳地域又は所定の観光地域を例示できるが、これに限られるものではない。
【００３２】
実施形態に係る時計１においては、立体地形模型３０は長野県の全域を立体地形模型としたものである。また、実施形態に係る時計１においては、立体地形模型３０を作製するために用いる素材としては樹脂が用いられる。樹脂としては、ＰＬＡ樹脂、ＡＢＳ樹脂など様々な樹脂を用いることができるが、実施形態に係る時計１においてはＰＬＡ樹脂を用いるものとする。また、素材は樹脂に限られるものではなく、３Ｄプリンターで使用可能な素材を、耐久性や見映えなどを考慮して使用することができる。
【００３３】
図４は、図１〜図３に示されている立体地形模型３０を取り出して示す図である。図４に示す立体地形模型３０は、前述したように、長野県全域の立体地形模型であり、当該立体地形模型３０は、長野県の地理データに基づいて、３Ｄプリンターにより作製されたものである。図４に示す立体地形模型３０によれば、例えば、飛騨山脈（通称：北アルプス）Ｍ１、木曽山脈（通称：中央アルプス）Ｍ２、赤石山脈（通称：南アルプス）Ｍ３などの代表的な山脈は勿論のこと、符号の付与は省略するが、その他の山脈や独立峰、さらには、長野、松本、諏訪、佐久、伊那の各盆地など、長野県の地形が明確に表されたものとなっている。このようにして形成された立体地形模型３０の色は、素材（この場合、ＰＬＡ樹脂）が持っている当該素材特有の色（白色）とする。
【００３４】
図４に示す長野県の立体地形模型３０において、当該立体地形模型３０のほぼ中央部には、長針１１、短針１２及び秒針１３を回転させるための回転軸２１を通すための回転軸通し孔３１が設けられているとともに、１時〜１２時の各時刻に対応する位置には、各時刻を表す数値の代わりに、各時刻の位置を表す小穴ｈ１，ｈ２，・・・，ｈ１２が設けられている。
【００３５】
これら回転軸通し孔３１及び各時刻の位置を表す小穴ｈ１，ｈ２，・・・，ｈ１２は、３Ｄプリンターを作動させるためのプログラムの設定によって、当該回転軸通し孔３１及び各時刻の位置を表す小穴ｈ１，ｈ２，・・・，ｈ１２を設けることができる。
【００３６】
ここで、１時〜１２時の各時刻のうちの１２時の時刻を表す位置は、回転軸通し孔３１すなわち回転軸２１から見て当該立体地形模型３０の地理上の北（Ｎ）の方角に位置するように、立体地形模型３０上に配置されている。このため、１２時の時刻に対応する小穴ｈ１２は、回転軸２１から見て当該立体地形模型３０の地理上の北（Ｎ）の方角に位置するように、立体地形模型３０上に設けられている（図１及び図３参照。）。
【００３７】
また、１２時以外の他の時刻（１時〜１１時）に対応する小穴ｈ１〜ｈ１１は、回転軸２１を中心とする仮想的な円弧上において、１２時に対応する小穴ｈ１２の位置から回転角度を３０度ずつずらした位置に設けるようにすればよい。
【００３８】
このとき、仮想的な円弧（以下、仮想円弧という。）の径の設定の仕方によっては、当該仮想円弧が立体地形模型３０から外れてしまう場合もある。このように、当該仮想円弧が立体地形模型３０から外れてしまう場合には、当該立体地形模型３０から外れた仮想円弧上に位置する時刻に対応する小穴は設けることができない場合もある。
【００３９】
ただし、１時〜１２時のうちの主な時刻（例えば、３時、６時、９時及び１２時）に対応する各小穴ｈ３，ｈ６，ｈ９及びｈ１２については、時刻を直感的に把握し易くするためにも、これら主な時刻に対応する各小穴は、可能な限り設けられていることが好ましい。この場合、仮想円弧の径を適宜設定すれば、これらの時刻に対応する各小穴を設けることは可能である。なお、仮想円弧が立体地形模型３０内に収まるように当該仮想円弧の径を小径とすれば、１時〜１２時の各時刻に対応する１２個の小穴ｈ１，ｈ２，・・・，ｈ１２をすべて設けることもできる。
【００４０】
このように、１時〜１２時の各時刻に対応する位置に各時刻を表す数値の代わりに、小穴ｈ１，ｈ２，・・・，ｈ１２を設けるようにした理由は、立体地形模型３０の作製に使用する素材に中には、着色しにくく文字などを記入しにくい素材もあることに加えて、立体地形模型３０に文字などを記入しない方が見映えの点で好ましいことを考慮したものである。
【００４１】
ところで、立体地形模型３０における回転軸通し孔３１の位置は、立体地形模型３０のほぼ中心とすることが好ましいが、厳密に中心とする必要はなく、立体地形模型３０の輪郭形状（外形という。）に応じて、回転軸通し孔３１の位置を適宜設定することができる。
【００４２】
続いて、背面板４０及び前面パネル板５０について説明する。
背面板４０は、実施形態に係る時計１においては、四角形（長方形とする。）をなす平板状の無色透明の樹脂板（例えば、無色透明のアクリル板）からなる。なお、背面板４０は必ずしも無色透明である必要はなく、有色の樹脂板（例えば、有色のアクリル板）を使用してもよい。有色のアクリル板を使用する場合には、白色の立体地形模型３０が、より引き立つように黒色のアクリル板などが好ましいが、他の色であってもよい。
【００４３】
また、背面板４０のサイズ（縦方向長さａ１及び横方向長さｂ１）は、３Ｄプリンターによって作製される立体地形模型３０のサイズによって異なるが、立体地形模型３０の輪郭が、どの部分においても当該背面板４０からはみ出ることがなく、当該立体地形模型３０の裏面全体を十分な余裕を有して覆うことができるように設定されている。
【００４４】
なお、立体地形模型３０のサイズは、実施形態に係る時計１においては、縦×横のサイズが最大２００ｍｍ角×２００ｍｍまでの立体模型の作製が可能な３次元プリンターを使用して立体地形模型を作製しているものとする。このため、例えば、図３に示すような縦方向に長い長野県の立体地形模型３０であっても、縦方向長さは最大でも２００ｍｍである。
【００４５】
ここで、図４に示す立体地形模型３０の縦方向の最も長い部分の長さを、仮に１８０ｍｍとした場合には、背面板４０の縦方向長さａ１は多少の余裕を持って、例えば、２００ｍｍ〜２２０ｍｍ程度とする。また、当該立体地形模型３０の横方向の最も長い部分の長さが仮に１３０ｍｍである場合には、背面板４０の横方向長さｂ１は多少の余裕を持って、例えば、１５０ｍｍ〜１８０ｍｍ程度とする。
【００４６】
また、背面板４０のほぼ中心位置には、時計の駆動部２０から突出している回転軸２１を通すための回転軸通し孔（図示せず。）が形成されている。なお、当該回転軸通し孔の位置は、背面板４０のほぼ中心位置であることが好ましいが、厳密に中心位置とする必要はなく、立体地形模型３０の外形に応じて、適宜、最適な位置に回転軸通し孔を形成することができる。また、当該背面板４０の４隅には、当該背面板４０にスペーサー６０を固定する際に、固定ネジ６１を通すネジ通し孔（図示せず。）がそれぞれ設けられている。
【００４７】
一方、前面パネル板５０は、四角形（長方形とする。）をなす平板状の無色透明の板（例えばアクリル板）からなり、実施形態に係る時計１においては、当該前面パネル板５０のサイズ（縦方向長さａ２及び横方向長さｂ２）は、背面板４０と同サイズとしている。また、当該前面パネル板５０の４隅には、前面パネル板５０をスペーサー６０に固定する際に、固定ネジ６２を通すネジ通し孔（図示せず。）がそれぞれ設けられている。
【００４８】
なお、前面パネル板５０は無色透明のアクリル板に限られるものではなく、透明であれば多少色(例えば、スモーク）が付いていてもよく、また、材質としては、アクリル板に限られるものではなく、透明のガラス板であってもよい。ガラス板とした場合にも、透明であれば多少色(例えば、スモーク）が付いていてもよい。前面パネル板５０をガラス板とすることにより、より高級感が得られる。
【００４９】
次に、実施形態に係る時計１の製造工程について説明する。
まず、背面板４０に時計の駆動部２０と立体地形模型３０とを取り付ける。このとき、駆動部２０の回転軸２１（回転軸２１を包囲している筒状部材２２）を、背面板４０に設けられている回転軸通し孔（図示せず。）に通した状態として、背面板４０の表面側から、立体地形模型３０に設けられている回転軸通し孔３１（図４参照。）に、駆動部２０の回転軸２１（回転軸２１を包囲している筒状部材２２）を通した状態とする。そして、筒状部材２２の外周面に形成されている雄ネジ部２３にナット２４を螺合させて当該ナット２４を締め付けることによって、時計の駆動部２０と立体地形模型３０とを背面板４０に取り付ける。
【００５０】
なお、立体地形模型３０を背面板４０に取り付ける際には、立体地形模型３０に設けられている各時刻に対応する小穴ｈ１〜ｈ１２のうち、１２時に対応する小穴ｈ１２が真上（一般的な時計の１２時に対応する位置）となるように背面板４０に取り付ける。
【００５１】
このように、１２時を示す小穴ｈ１２が真上となるよう立体地形模型３０を背面板４０に取り付けることによって、実施形態に係る時計１をテーブルや机などの台上に置いた場合又は実施形態に係る時計１を壁面などに掛けた場合に、１２時の時刻を表す小穴ｈ１２が当該立体地形模型３０の地理上の北を指し示すようになり、立体地形模型３０の北の方角が直感的に分かりやすくなる。これは、立体地形模型３０に設けられている１２時の時刻に対応する小穴ｈ１２が、当該立体地形模型３０の基となる地域における地理上の北（回転軸２１から北に向かう線上）に位置するように設けられているためである。
【００５２】
このようにして、時計の駆動部２０と立体地形模型３０とを背面板４０に取り付けたら、続いて、長針１１、短針１２及び秒針１３を回転軸２１の長針用回転軸（図示せず。）、短針用回転軸（図示せず。）及び秒針用回転軸（図示せず。）に取り付ける。なお、前述したように、秒針１３の先端付近には、飛行機の模型１４が取り付けられている。
【００５３】
続いて、前面パネル板５０を取り付ける。前面パネル板５０を取り付ける際には、前面パネル板５０の取り付けに先立って、背面板４０のそれぞれの４隅にスペーサー６０を取り付けておく。背面板４０へのスペーサー６０の取り付けは、背面板４０の４隅に設けられているネジ通し孔からそれぞれネジ６１を通してスペーサー６０のネジ孔に螺合させてそれぞれのネジ６１を締め付ける。これにより、スペーサー６０を背面板４０の４隅に取り付けることができる。
【００５４】
このようにして背面板４０の４隅にスペーサー６０を取り付けたら、前面パネル板５０を、背面板４０に取り付けられている立体地形模型３０の表面に対面するように４個のスペーサー６０上に置き、前面パネル板５０の４隅に設けられているネジ通し孔からそれぞれネジ６２を通してスペーサー６０のネジ孔に螺合させてそれぞれのネジ６２を締め付ける。これにより、前面パネル板５０は背面板４０にスペーサー６０を介して連結された状態で固定される。このとき、前面パネル板５０は、立体地形模型３０及び長針１１、短針１２及び秒針１３などに対して非接触の状態となる。
このような工程を経て図１〜図３に示すような実施形態に係る時計１を製造することができる。
【００５５】
以上説明したように、実施形態に係る時計１によれば、時計の時刻表示板が、所定の地域（この場合は、長野県）の立体地形模型３０となっている。しかも、当該立体地形模型３０は、地理データに基づいて３Ｄプリンターによって作られたものであるため、金型などにより大量生産された立体地形模型とは異なり、いわゆる「一品もの」とも言える付加価値の高い時計となる。
【００５６】
実施形態に係る時計１においては、所定の地域の立体地形模型３０として、長野県全域の立体地形模型を用いた場合を例示したが、所定の地域は、地理データが作成されていれば、例えば、都道府県、市町村、集落、所定の山岳地域又は所定の観光地域などの立体地形模型を作製することができる。このため、自分が住んでいる地域や旅行などで訪れた地域など、個々の人の好みの地域の地形の立体地形模型を作製することができ、このような立体地形模型を時計の時刻表示板とすることができる。
【００５７】
また、実施形態に係る時計１においては、秒針１３の先端付近には、飛行機の模型１４が取り付けられており、当該秒針１３の回転とともに飛行機の模型１４が立体地形模型３０の表面に非接触で回転して行く。このため、特に、山岳地域などの場合には、山岳地域の上空を飛行機が飛ぶように回転して行くこととなり、見た目の面白さも加わって、付加価値をより高めることができる。
【００５８】
このように、実施形態に係る時計１は、自分用として使用する場合にも満足感が高く、価値のある一品となるが、記念品などの贈り物とした場合においては、当該時計１を贈られた人にとっても満足感が高く価値のある一品となる。特に、時計１の時刻表示として用いられている立体地形模型３０が、贈られた人にとって思い入れのある土地の立体地形模型であれば、当該時計を贈られた人にとっては、より価値ある一品となる。これは、実施形態に係る時計１の立体地形模型３０が大量生産ではなく、好みの地域を選定して製造されたものであり、いわゆる「一品もの」と言えるものであるからといえる。
【００５９】
また、立体地形模型３０を、県や市町村単位の立体地形模型として、このような立体地形模型３０が時刻表示板として用いられている時計を、当該自治体の庁舎、当該地域を拠点とする企業及び当該地域を拠点とする団体の受付や会議室などに置けば、来訪者の目を引くものとなり、話題を提供する材料ともなる。
【００６０】
なお、本考案は上述の実施形態に限られるものではなく、本考案の要旨を逸脱しない範囲で種々変形実施可能となるものである。たとえば、下記に示すような変形実施も可能である。
【００６１】
（１）上記実施形態においては、秒針１３の先端に取り付ける飛行体の模型１４は飛行機としたが、飛行機以外であってもよく、例えば、ヘリコプター、飛行船、熱気球、鳥などであってもよい。
【００６２】
（２）上記実施形態においては、３Ｄプリンターによって作製可能な立体地形模型の最大のサイズを２００ｍｍ×２００ｍｍとした場合を例示したが、より大きいサイズの型の立体模型の作製が可能な３Ｄプリンターを使用することにより、より大きいサイズの立体地形模型の作製が可能となり、より大型の時計とすることができる。
【００６３】
（３）上記実施形態においては、立体地形模型は、３Ｄプリンターによって素材（例えばＰＬＡ樹脂）を積層して作製するようにしたが、立体地形模型は、３Ｄプリンターではなく、マシニングセンターと呼ばれる切削加工機を用いて、地理データに基づいて、所定の厚みを有する肉厚の素材を表面から切削加工することによって形成することもできる。この場合の素材としては、肉厚の金属板を用いることができる。なお、金属板としては、アルミニウム、アルミニウム合金、同、銅合金、ステンレス鋼など種々の金属板を例示することができるが、価格、加工のし易さなどを考慮すると、アルミニウムの金属板を好ましく用いることができる。例えば、所定の厚みを有するアルミニウム板を用いて作製した立体地形模型は、上記実施形態において説明した立体地形模型（樹脂により作製した立体地形模型３０）とは異なる重厚感のあるものとなり、付加価値をより高めることができる。
【００６４】
なお、素材を金属として立体地形模型を作製した場合の当該立体地形模型の色は、素材（金属）の持つ素材特有の色とすることも高級感を出す上で好ましいが、素材の種類によっては、着色してもよい。また、立体地形模型を素材（金属）の持つ素材特有の色とした場合には、背面板４０を黒色とすると、見映えを良くすることができるとともに高級感も得られる。
【００６５】
（４）上記実施形態においては、長野県の全域を立体地形模型とした場合を例示したが、前述したように、地理データが存在すれば、例えば、日本列島、都道府県、市町村、集落、所定の山岳地域又は所定の観光地域などの立体地形模型を作製することができる。また、日本国内だけでなく、地理データが存在すれば、世界中の所定地域における立体地形模型の作製も可能である。
【００６６】
（５）上記実施形態においては、背面板４０及び前面パネル板５０は、正面又は背面から見た形状がそれぞれ四角形（長方形）とした場合を例示したが、必ずしも四角形（長方形）である必要はなく、正方形であってもよく、また、円形、楕円形、５角形及び６角形など種々の形状とすることができる。
【００６７】
（６）上記実施形態では、平板上の前面パネル板５０で当該立体地形模型３０の表面を覆うようにしたが、箱状ケースで立体地形模型３０の表面だけでなく側面までをも覆うようにしてもよい。
【符号の説明】
【００６８】
１・・・時計、１１・・・長針、１２・・・短針、１３・・・秒針、１４・・・飛行体（飛行機）の模型、２０・・・時計の駆動部、２１・・・回転軸、２２・・・筒状部材、３０・・・立体地形模型（時刻表示板）、３１・・・回転軸通し孔、４０・・・背面板、５０・・・前面パネル板、６０・・スペーサー、７０・・・自立用スタンド、８０・・・壁面取り付け用部材、ｈ１，ｈ２，・・・，ｈ１２・・・小穴（各時刻に対応する小穴）
【図１】
0003211429.tif 000003
【図２】
0003211429.tif 000004
【図３】
0003211429.tif 000005
【図４】
0003211429.tif 000006
【図５】
0003211429.tif 000007
【図６】
0003211429.tif 000008